(57)【要約】【課題】電動送風機の円周方向の外側に、電動送風機の軸と平行に配線基板を配置するようにして配線基板の固定にネジを用いているので、ネジ用の穴を配線基板面に設ける必要があり、その分、配線基板の面積が大きくなることで重量が増加、ネジの重量も加わり小型、軽量化の要求に反するという課題がある。【解決手段】各種電気素子が実装された配線基板と、電動送風機と、配線基板と電動送風機を保持するケースと、を備え、ケースは第１のケースと第２のケースから成り、第１のケースと、第２のケースで配線基板の外周と、電動送風機の外周を挟み込むように保持するものである。【選択図】図１３
2019208928.tif 000002
【特許請求の範囲】
【請求項１】
各種電気素子が実装された配線基板と、
電動送風機と、
前記配線基板と前記電動送風機を保持するケースと、を備え、
前記ケースは第１のケースと第２のケースから成り、
前記第１のケースと、前記第２のケースで前記配線基板の外周と、前記電動送風機の外周を挟み込むように保持する電気掃除機。
【請求項２】
前記配線基板の外周には複数の突起形状が設けられ、
前記第１のケースには前記突起形状の収容部を備え、
前記第２のケースには前記配線基板を保持する保持部を備えた請求項１に記載の電気掃除機。
【請求項３】
前記保持部は、前記第２のケースの内周から、前記配線基板の両面側に、それぞれ突出するように形成されている請求項２に記載の電気掃除機。
【請求項４】
前記電動送風機の回転軸の長手方向と、前記配線基板の前記電気素子が実装された面が
直交するように前記配線基板が配置されている請求項１から請求項３何れか１項に記載の電気掃除機。
【請求項５】
複数の前記配線基板を備え、
複数の前記配線基板は少なくとも２枚の配線基板であり、第１の配線基板と第２の配線基板は、前記第１のケースと前記第２のケースで保持される請求項１から請求項４何れか１項に記載の電気掃除機。
【請求項６】
複数の前記配線基板を備え、
複数の前記配線基板は少なくとも２枚の配線基板であり、第１の配線基板は前記第１のケースと前記第２のケースで保持され、第２の配線基板は前記電動送風機に取り付けられて、前記電動送風機と一体で前記第１のケースと前記第２のケースで保持される請求項１から請求項４何れか１項に記載の電気掃除機。
【請求項７】
前記第１の配線基板と前記第２の配線基板は、面が平行になるように配置されている請求項５または請求項６何れか１項に記載の電気掃除機。
【発明の詳細な説明】
【技術分野】
【０００１】
本発明は、電気掃除機に関し、詳しくは電気掃除機の配線基板取付け構造に関する。
【背景技術】
【０００２】
ハンディタイプ、スティックタイプ、アップライトタイプと呼ばれる、電動送風機といった重量物を包含した本体を使用者が手に持ったり、手で操ったりして掃除を行うタイプの電気掃除機が知られている（例えば、特許文献１参照）。
【先行技術文献】
【特許文献】
【０００３】
【特許文献１】特開２０１７−３９３号公報（第６頁、図１２）
【発明の概要】
【発明が解決しようとする課題】
【０００４】
このようなタイプの電気掃除機は、使用者が扱いやすいように小型、軽量化が要求されるが、特許文献１に記載の電気掃除機では、電動送風機の円周方向の外側に、電動送風機の軸と平行に配線基板を配置するようにして配線基板の固定にネジを用いているので、ネジ用の穴を配線基板面に設ける必要があり、その分、配線基板の面積が大きくなることで重量が増加、ネジの重量も加わり小型、軽量化の要求に反するという課題がある。
【０００５】
本発明は、上記課題に鑑みてなされたものであり、小型、軽量で使用者が扱いやすい電気掃除機を提供することを目的とする。
【課題を解決するための手段】
【０００６】
課題を解決する本発明の電気掃除機は、各種電気素子が実装された配線基板と、電動送風機と、配線基板と電動送風機を保持するケースと、を備え、ケースは第１のケースと第２のケースから成り、第１のケースと、第２のケースで配線基板の外周と、電動送風機の外周を挟み込むように保持するものである。
【発明の効果】
【０００７】
本発明によれば、第１のケースと、第２のケースで配線基板の外周と、電動送風機の外周を挟み込むように保持するようにしたので、配線基板の固定にネジを使用する必要がなく、配線基板の面積も大きくならないことにより、小型、軽量で使用者が扱いやすい電動機を提供することができる。
【図面の簡単な説明】
【０００８】
【図１】本発明の実施の形態１に係る電気掃除機の外観を示す斜視図である。
【図２】本発明の実施の形態１に係る電気掃除機の本体部を側面方向から見た外観図である。
【図３】本発明の実施の形態１に係る電気掃除機の本体部の側面方向から見た断面図である。
【図４】本発明の実施の形態１に係る電気掃除機の電動送風機と第１の配線基板と第２の配線基板が組み込まれ保持されている収容ケース組立体の斜視図である。
【図５】本発明の実施の形態１に係る電気掃除機の収容ケース組立体を、第１のケースと第２のケースと第１の配線基板と第２の配線基板と電動送風機に分解した状態を示す斜視図である。
【図６】本発明の実施の形態１に係る電気掃除機の第１のケースに電動送風機と第１の配線基板と第２の配線基板を保持した状態を示す斜視図である。
【図７】（ａ）第１の配線基板を第１面（表面）側から見た斜視図、（ｂ）第２の配線基板を第１面（表面）側から見た斜視図である。
【図８】（ａ）第１の配線基板を第２面（裏面）側から見た平面図、（ｂ）（ａ）に示すＡ部（突起形状）の要部拡大図である。
【図９】第１の配線基板の寸法関係を示す概略平面図である。
【図１０】（ａ）本発明の実施の形態１に係る電気掃除機の電動送風機と配線基板が組み込まれ保持されている第１のケースを配線基板と電動送風機を保持する面方向から見た平面図、（ｂ）（ａ）に示すＢ部の要部拡大図である。
【図１１】（ａ）本発明の実施の形態１に係る電気掃除機の第１のケースを配線基板と電動送風機を保持する面方向から見た平面図、（ｂ）（ａ）に示すＤ部の要部拡大図である。
【図１２】（ａ）図１１（ａ）に示す矢印Ｅ方向から見た第１のケースの側面図、（ｂ）（ａ）に示すＦ部の要部拡大図である。
【図１３】図１０に示す切断線ＣＣで切断した要部断面図である。
【図１４】本発明の実施の形態１に係る電気掃除機の第２のケースを配線基板と電動送風機を保持する面方向から見た平面図である。
【発明を実施するための形態】
【０００９】
実施の形態１．
（電気掃除機の構成）
以下、図１から図３により本発明の実施の形態１に掛かる電気掃除機１００の構成を説明する。
なお、それぞれの図において、同じ部分または相当する部分には同じ符号を付し、一部の説明を省略する場合がある。
なお、本発明は以下の実施の形態に限定されることなく、本発明の趣旨を逸脱しない範囲で種々変形、変更することが可能である。
【００１０】
図１は本発明の実施の形態１に係る電気掃除機の外観を示す斜視図、図２は本発明の実施の形態１に係る電気掃除機の本体部を側面方向から見た外観図、図３は本発明の実施の形態１に係る電気掃除機の本体部の側面方向から見た断面図である。
【００１１】
本発明の実施の形態１に掛かる電気掃除機１００は、図１に示すように、本体１０１と集塵部１０２と延長管１０３と吸込具１０４で構成される。
【００１２】
本体１０１には、電気掃除機１００を取り回すときのハンドル１０１ｂが設けられている。また、本体１０１には、電気掃除機１００を運転するときに図３に示す電動送風機５１を駆動させるための図示しないスイッチなどを備える操作部１０１ｃが設けられている。
【００１３】
延長管１０３は、本体１０１と吸込具１０４を通気可能に接続するためのもので、図２に示す本体１０１の本体管部１０１ａと接続される。延長管１０３の本体管部１０１ａと接続される側の端部の反対側の端部と吸込具１０４が接続される。図示しないが本体１０１と吸込具１０４は、延長管１０３を介さずに接続することも可能である。
【００１４】
吸込具１０４は、床などの被清掃面から塵埃を含んだ空気を吸い込むものである。吸込具１０４には、床などの被清掃面と対向する面に図示しない開口が設けられている。この開口は、塵埃を含んだ空気を吸い込むための開口である。
【００１５】
図３に示すように、集塵部１０２は集塵室１０２ａを有する。集塵室１０２ａは塵埃を収容するためのものである。集塵室１０２ａ内には分離部１１４が設けられる。分離部１１４は、塵埃を含んだ空気を旋回させて、塵埃を分離するためのものである。分離された塵埃が集塵室１０２ａに収容される。電気掃除機１００は、サイクロン式の電気掃除機である。
なお、本発明の実施の形態１に掛かる電気掃除機１００は、サイクロン式の電気掃除機として説明しているが、集塵方式はこれに限定されるものではなく、集塵方式の一例として説明しているものであり、紙パック式のように集塵袋を使用するものであってもよい。
【００１６】
本体１０１の内部には、電動送風機５１を駆動させるための電力を供給する二次電池１１１が収容されている。電気掃除機１００は、電動送風機５１を二次電池１１１で駆動させるコードレス式の電気掃除機である。
【００１７】
なお、本発明の実施の形態１に掛かる電気掃除機１００は、コードレス式の電気掃除機として説明しているが、これに限定されるものではなく、ハンディタイプ、スティックタイプ、アップライトタイプの一例として説明しているものであり、二次電池からではなく、コード接続により商用電源から電力が供給されるものであってもよい。
【００１８】
また、本体１０１の内部には、図３に示すように電動機５２が組み込まれた電動送風機５１が収容されている。電動送風機５１は後述する図４に示す収容ケース組立体１０に収容、保持された状態で本体１０１内に収容されている。
【００１９】
電動送風機５１は、電気掃除機１００が塵埃を含んだ空気を吸引するための吸引風を発生させるものである。電動送風機５１の吸気口５１ａは集塵部１０２と通気可能に配置されている。
【００２０】
電気掃除機１００の動作は、操作部１０１ｃの電動送風機５１を駆動させるための図示しないスイッチをＯＮすると、二次電池１１１から電動送風機５１に電力が供給され、電動送風機５１が駆動を開始する。
【００２１】
本体１０１の内部には、二次電池１１１から電動送風機５１に電力を供給するために、図３に示すように第１の配線基板３と、第２の配線基板４が収容されている。第１の配線基板３と第２の配線基板４は、電動送風機５１と同様に後述する図４に示す収容ケース組立体１０に収容、保持された状態で本体１０１内に収容されている。
【００２２】
第１の配線基板３は、図示しないインバーター回路駆動信号生成部を備える。第２の配線基板４は、二次電池１１１の直流電圧を、電動送風機５１を駆動する交流電圧に変換する図示しないインバーター部を備える。
【００２３】
第１の配線基板３と第２の配線基板４は、図示しない接続線で信号が通信可能に接続されており、前述の動作を詳しく説明すると、操作部１０１ｃの電動送風機５１を駆動させるための図示しないスイッチをＯＮすると第１の配線基板３は，図示しないインバーター回路駆動信号生成部がインバーター回路の駆動信号を生成し、その駆動信号が第２の配線基板４のインバーター部に送信され、第２の配線基板４のインバーター部が二次電池１１１の直流電圧を、電動送風機５１を駆動する交流電圧に変換して、電力が供給された電動送風機５１が駆動を開始する。
【００２４】
電力が供給された電動送風機５１が駆動を開始すると、電動送風機５１が発生させた吸引風により、吸込具１０４の開口から塵埃を含んだ空気の吸引を開始する。
【００２５】
吸込具１０４の開口から吸引した塵埃を含んだ空気は、延長管１０３の図示しない通風路を通過し、本体１０１の本体管部１０１ａ内の吸引風路１１２を通過して集塵部１０２の旋回部１１３に送られる。
【００２６】
塵埃を含んだ空気は、旋回部１１３で旋回し遠心分離され、分離部１１４で塵埃と空気を分離する。分離された塵埃は集塵室１０２ａ内に収容され、分離された空気は電動送風機５１の吸気口５１ａから電動送風機５１内に吸い込まれ、電動送風機５１の図示しない排気口から電動送風機５１外へ送出されて、図２に示す本体１０１に設けられた本体排気口１０１ｄから本体１０１外へ排出される。
【００２７】
（収容ケース組立体の構成と配線基板の形状）
次に図４から図１４により本発明の実施の形態１に掛かる電気掃除機１００の本体１０１内に収容される収容ケース組立体１０の構成と、収容ケース組立体１０に収容される第１の配線基板３の形状を含め説明する。
なお、それぞれの図において、同じ部分または相当する部分には同じ符号を付し、一部の説明を省略する場合がある。
なお、本発明は以下の実施の形態に限定されることなく、本発明の趣旨を逸脱しない範囲で種々変形、変更することが可能である。
【００２８】
図４は本発明の実施の形態１に係る電気掃除機の電動送風機と第１の配線基板と第２の配線基板が組み込まれ保持されている収容ケース組立体の斜視図、図５は本発明の実施の形態１に係る電気掃除機の収容ケース組立体を、第１のケースと第２のケースと第１の配線基板と第２の配線基板と電動送風機に分解した状態を示す斜視図、図６は本発明の実施の形態１に係る電気掃除機の第１のケースに電動送風機と第１の配線基板と第２の配線基板を保持した状態を示す斜視図、図７（ａ）は第１の配線基板を第１面（表面）側から見た斜視図、図７（ｂ）は第２の配線基板を第１面（表面）側から見た斜視図、図８（ａ）は第１の配線基板を第２面（裏面）側から見た平面図、図８（ｂ）は（ａ）に示すＡ部（突起形状）の要部拡大図、図９は第１の配線基板の寸法関係を示す概略平面図、図１０（ａ）は本発明の実施の形態１に係る電気掃除機の電動送風機と配線基板が組み込まれ保持されている第１のケースを配線基板と電動送風機を保持する面方向から見た平面図、図１０（ｂ）は（ａ）に示すＢ部の要部拡大図、図１１（ａ）は本発明の実施の形態１に係る電気掃除機の第１のケースを配線基板と電動送風機を保持する面方向から見た平面図、図１１（ｂ）は（ａ）に示すＤ部の要部拡大図、図１２（ａ）は図１１（ａ）に示す矢印Ｅ方向から見た第１のケースの側面図、図１２（ｂ）は（ａ）に示すＦ部の要部拡大図、図１３は図１０に示す切断線ＣＣで切断した要部断面図、図１４は本発明の実施の形態１に係る電気掃除機の第２のケースを配線基板と電動送風機を保持する面方向から見た平面図である。
【００２９】
図４に示すように、収容ケース組立体１０は第１のケース１と第２のケース２で構成される。第１のケース１は樹脂材料を射出成形して形成される。第２のケース２も第１のケース１と同様、樹脂材料を射出成形して形成される。使用される樹脂材料は、例えば難燃性を有するＡＢＳ（アクリロニトリルブタジェンスチレン）樹脂等である。
【００３０】
図５は便宜上収容ケース組立体１０を第１のケース１と第２のケース２に分解した状態を示したものである。図５に示すように、収容ケース組立体１０の内部には、電動送風機５１と第１の配線基板３と第２の配線基板４が収容、保持されている。
【００３１】
図１０、図１１に示すように、第１のケース１には長手方向の中央部に爪形状１ａが設けられている。爪形状１ａは両側にそれぞれ設けられている。図１４に示すように、第２のケース２には長手方向の中央部に爪掛け部２ａが設けられている。爪掛け部２ａは両側にそれぞれ設けられている。
【００３２】
図６、図１１に示すように、第１のケース１に電動送風機５１と第１の配線基板３と第２の配線基板４を載置した後、第２のケース２を被せるようにして、第１のケース１の爪形状１ａに、第２のケース２の爪掛け部２ａを掛けると、第１のケース１と第２のケース２により電動送風機５１と第１の配線基板３と第２の配線基板４の外周を挟み込むように固定、保持され、収容ケース組立体１０の状態となる。収容ケース組立体１０は円筒状である。
【００３３】
電動送風機５１にはパッキン５３と保持部材５４が取付けられている。パッキン５３は、例えばＥＰＤＭ（エチレンプロピレンジエンゴム）等で形成される。保持部材５４は、例えばＣＲ（クロロプレンゴム）等で形成される。
【００３４】
パッキン５３は、電動送風機５１の吸気口５１ａの近傍に取付けられた電動送風機５１の振動を抑制するものである。また、電動送風機５１の図示しない排気口から排出された空気が、電動送風機５１の吸気口５１ａに還流しないようにシールするものである。
【００３５】
保持部材５４は電動送風機５１の胴部辺りに取付けられ、電動送風機５１の動きを抑制し保持するものである。
【００３６】
電動送風機５１は、パッキン５３と保持部材５４が取付けられた状態で、図６、図１１に示すように、第１のケース１に取付けられる。電動送風機５１は、保持部材５４を介して図１１に示す第１のケース１の第１の電動送風機保持部１ｂと、図１４に示す第２のケース２の第１の電動送風機保持部２ｂとで胴部辺りを挟むように保持され、移動が抑制される。
【００３７】
また、電動送風機５１は、パッキン５３を介して第１のケース１と第２のケース２に挟むように保持され、パッキン５３の外周よりも小さく形成された第１のケース１の第２の電動送風機保持部１ｃと第２のケース２の第２の電動送風機保持部２ｃによっても移動が抑制される。
【００３８】
第２の配線基板４は、電動送風機５１に一体的に取付けられている。電動送風機５１を第１のケース１に取付けることで、第２の配線基板４も第１のケース１に収容される。第２の配線基板４の外形は、図７（ｂ）に示すように円の一部を切り欠いた形状をしている。図７（ｂ）で見える面を、便宜上、第２の配線基板４の第１面４ａとする。なお、第１面は表面と表現する場合もあることを付け加えておく。
【００３９】
第２の配線基板４の第１面（表面）４ａには、接続コネクター、電解コンデンサー等の電気電子部品群４ｃが取付けられている。第２の配線基板４は図示しない第２面である裏面が、電動送風機３１と対向するように図示しない取付け部材で電動送風機５１に取付けられている。
【００４０】
また、図示しない第２の配線基板４の外形の円の中心点と電動送風機５１の電動機５２の回転軸の長手方向の中心である軸心が重なるように電動送風機５１に取付けられている。言い換えると、電動機５２の軸心と第２の配線基板４の外形の円の中心点が直交するように、電動送風機５１に取付けられている。つまり、電動送風機５１の外形と、第２の配線基板４の切欠かれていない部分の外形は、電動送風機５１の電動機５２の軸心を中心に、ほぼ同心円となっている。
【００４１】
第１の配線基板３は、第１のケース１に直接取付けられる。第１の配線基板３は、図８（ａ）、図９に示すように、半周以上の円周を有する円弧状をしている。第１の配線基板３の第１の配線基板３の仮想円の中心点Ｐも、第１の配線基板３が第１のケース１に取付けられたときに、電動送風機５１の電動機５２の回転軸の長手方向の軸心と直交するようになっている。
【００４２】
つまり、第１の配線基板３の円周部分の外形は、電動送風機５１の電動機５２の軸心を中心に、電動送風機５１の外形と、第２の配線基板４の切欠かれていない部分の外形と、ほぼ同心円となっている。
【００４３】
本体に収容される部品の中では電動送風機５１が最大の大きさであり、電動送風機５１の最大の外形は円周であることから、第１の配線基板３及び第２の配線基板４を出来るだけ円に近い形状で電動送風機５１の外周と同じか少し小さくなるように設定し、電動送風機５１の電動機５２の回転軸の長手方向の軸心と直交するように配置することで、基板の面積を広くとることができ、本体が大きくなることを抑制できる。
【００４４】
第１の配線基板３は、図７（ａ）で見える面を、便宜上、第１の配線基板３の第１面（表面）３ａとして、第２の配線基板４の第１面（表面）４ａと対向するように取付けられる。第１の配線基板３の第１面（表面）３ａには、接続コネクター、抵抗、コンデンサー等の電気電子部品群３ｃが取付けられている。
【００４５】
第１の配線基板３と第２の配線基板４を接続する、図示しない接続線の図示しない接続コネクターは、それぞれ第１の配線基板３の第１面（表面）３ａと第２の配線基板４の第１面（表面）４ａに取付けられており、接続線にノイズがのり難くするために接続線の長さを短くできるので、第１の配線基板３と第２の配線基板４は近い距離で第１の配線基板３の第１面（表面）３ａと、第２の配線基板４の第１面（表面）４ａと対向するように取付けるようにすることが望ましい。
【００４６】
第２の配線基板４の外形の円の中心点と第１の配線基板３の第１の配線基板３の仮想円の中心点Ｐは、ともに電動送風機５１の電動機５２の回転軸の長手方向の軸心と直交するように取付けられているので、言い換えると第２の配線基板４と第１の配線基板３は平行に取付けられているということである。
【００４７】
第１の配線基板３と第２の配線基板４を近い距離で第１の配線基板３の第１面（表面）３ａと、第２の配線基板４の第１面（表面）４ａと対向するように取付けるようにするには、取付け作業のし易さを考慮し、平行に取付けるようにすることが望ましい。
【００４８】
平行に取付けることで、第１のケース１への挿入方向が同じになるため、取付け作業がし易くなり、さらに、第１の配線基板３と第２の配線基板４の面同士の距離が一定の間隔となるので、絶縁距離の維持も確実になる。
【００４９】
本発明の実施の形態１では、図示しないインバーター回路駆動信号生成部を備える第１の配線基板３と、二次電池１１１の直流電圧を、電動送風機５１を駆動する交流電圧に変換する図示しないインバーター部を備える第２の配線基板４との２枚の配線基板で構成されているが、１枚の配線基板にインバーター回路駆動信号生成部とインバーター部を備えて構成することも可能である。
【００５０】
接続線からのノイズを考えれば１枚で構成する方がよいこともあるが、配線基板を１枚にした場合、必要な電気電子部品を搭載することで面積が大きくなり、その大きくなった配線基板を収容する収容ケース組立体、それを収容する本体も大きくする必要があり、コストアップ、大きくなったことで取り回しが悪くなる等、課題が生じてしまう。小型、軽量を図る上では配線基板を２枚に分け、近しい距離に配置することが望ましい。
【００５１】
第１の配線基板３の形状を第１の配線基板３の第２面（裏面）３ｂから見た図８、図９により詳しく説明すると、前述の通り図８（ａ）、図９に示すように半周以上の円周を有する円弧状をしていて、図９に示す第１の配線基板３の仮想円の水平方向の中心線Ｘから第１のケース１への取付け方向に下がった位置の両側に突起形状３１が設けられている。
【００５２】
図８（ａ）のＡ部を拡大した図８（ｂ）を見ると、突起形状３１は、水平である第１の配線基板３の弦と第１の配線基板３の円弧の延長線の交点を通る第１の配線基板３の取付け方向に垂直に下した垂直線Ｙ１に対し、辺３１ａの角度はθ１となっている。また、垂直線Ｙ１に対し、辺３１ｂの角度はθ２となっている。それから、突起形状３１の突出寸法は円弧の終点からＷ１となっている。
【００５３】
θ１は後述する第１のケース１への取付けのし易さを考慮し鋭角であることが望ましく、３０度前後の寸法であることが望ましい。また、θ２は後述する第１のケース１からの外れ難さを考慮し、９０度から１１０度程度であることが望ましい。それから、Ｗ１は後述する第１のケース１への取付けのし易さ、外れ難さを考慮し、１ｍｍから３ｍｍ程度の寸法であることが望ましい。
【００５４】
図１０、図１１に示すように第１のケース１には、第１の配線基板３を取付ける際のガイド及び取付け後の保持構造となるリブ１１ａ、リブ１１ｂ、リブ１２ａ、リブ１２ｂが設けられている。１１ａとリブ１１ｂで配線基板ガイド１１を構成している。また、リブ１２ａとリブ１２ｂで配線基板ガイド１２を構成している。
【００５５】
図１０（ａ）のＢ部を拡大した図１０（ｂ）を見ると、配線基板ガイド１１のリブ１１ａとリブ１１ｂは、第１のケース１の内側からそれぞれ第１の配線基板３の両面側に突出し、第１面（表面）３ａと第２面（裏面）３ｂの両面を保持するように構成されている。図示していないが配線基板ガイド１２のリブ１２ａとリブ１２ｂも同様に第１の配線基板３の第１面（表面）３ａと第２面（裏面）３ｂの両面を保持するように構成されている。
【００５６】
第１の配線基板３の第１面（表面）３ａと第２面（裏面）３ｂとリブ１１ａ、リブ１１ｂ、リブ１２ａ、リブ１２ｂそれぞれとの重なり代は１ｍｍから３ｍｍ程度であり、このように重なり代を少なく構成することで配線基板の無効面積を増やさないようにしている。
【００５７】
図１１（ａ）のＤ部を拡大した図１１（ｂ）を見ると、配線基板ガイド１１のリブ１１ａとリブ１１ｂの間には凹部１１ｃが設けられており、この凹部１１ｃに第１の配線基板３が入り込むようになっている。
【００５８】
図１１（ａ）に示す矢印Ｅ方向から第１のケース１を見ると、図１１（ａ）に示すように突起形状収容部１１ｄが設けられている。突起形状収容部１１ｄが設けられている位置は、凹部１１ｃが設けられている位置の第１のケース１の側面である。
図１２（ａ）のＦ部を拡大した図１２（ｂ）に示す突起形状収容部１１ｄは、第１のケース１の側面に設けられた開口である。
【００５９】
第１の配線基板３を第１のケース１に取付けると、図１３に示すように第１のケース１の側面に設けられた開口である突起形状収容部１１ｄに第１の配線基板３の突起形状３１が収容される。
【００６０】
突起形状３１の片側の突出寸法は、第１の配線基板３の仮想円の垂直方向の中心線Ｙ２から水平方向のＷ１で、第１の配線基板３と同じ水平方向の中心線Ｘと垂直方向の中心線Ｙ２の交点からの第１のケース１の内径の半径Ｒ２よりも大きい。
【００６１】
そのため、通常であれば突起形状３１が突起形状収容部１１ｄに入ることは困難であるが、第１のケース１は樹脂で形成されているので柔軟性があり、突起形状係り部の１１ｅの上の部分変形可能部１１ｆは外側に拡がって突起形状３１を通過させることができ、突起形状３１が通過した後変形可能部１１ｆは元に戻るので、今度は突起形状係り部１１ｅが辺３１ｂに干渉して抜け止めとなる。
【００６２】
図９に示すように  第１の配線基板３の円弧の寸法は、第１の配線基板３の仮想円の水平方向の中心線Ｘと第１の配線基板３の仮想円の垂直方向の中心線Ｙ２の交点からの半径Ｒ１である。第１の配線基板３の最大幅Ｗ３は半径Ｒ１の２倍、つまり第１の配線基板３の直径に相当する。
【００６３】
突起形状３１の片側の突出寸法は、第１の配線基板３の仮想円の垂直方向の中心線Ｙ２から水平方向にＷ１となる。Ｗ１はＲ１よりも大きいＷ１＞Ｒ１の関係となっている。突起形状３１の両側の幅寸法はＷ２でＷ１の２倍である。Ｗ２はＷ３よりも大きいＷ２（＝Ｗ１×２）＞Ｗ３（＝Ｒ１×２）の関係となっている。
【００６４】
前述の関係から、第１の配線基板３の直径はＲ１×２、第１の配線基板３の外周両端にある突起形状３１の端部から端部までの寸法はＷ１×２、第１のケース１の内径の直径はＲ２×２で、Ｗ１×２＞Ｒ２×２＞Ｒ１×２となり、第１の配線基板３は第１のケース１に収容可能であり、突起形状３１は第１のケース１から容易に抜けない構造となっている。
【００６５】
第１のケース１に電動送風機５１と第１の配線基板３と第２の配線基板４を載置した後、第２のケース２により電動送風機５１と第１の配線基板３と第２の配線基板４を挟み込むように被せるようにするが、第２のケース２には図１４に示すように第１の電動送風機保持部２ｂが設けられており、第１のケース１の第１の電動送風機保持部１ｂとで電動送風機５１の胴部辺りを挟むように保持することで移動が抑制されるように保持される。
【００６６】
また、図１４に示す第２のケース２に設けられた第２の電動送風機保持部２ｃと、図１１に示す第１のケース１の第２の電動送風機保持部１ｃとによっても電動送風機５１の移動が抑制されるように保持される。
【００６７】
それから、図１４に示すように第２のケース２には、リブ２１ａとリブ２１ｂからなる配線基板ガイド２１が設けられている。配線基板ガイド２１は、第１のケース１に第２のケース２を被せるようにして固定し、収容ケース組立体１０の状態となったときに、第１の配線基板３の端部を保持するものである。
【００６８】
図９に示す第１の配線基板３のＧ部の辺りを、配線基板ガイド２１のリブ２１ａとリブ２１ｂで、第２のケース２の内側からそれぞれ第１の配線基板３の両面側に突出し、第１の配線基板３の第１面（表面）３ａと第２面（裏面）３ｂの両面から保持するように形成されている。
【００６９】
第１の配線基板３の第１面（表面）３ａと第２面（裏面）３ｂとリブ２１ａ、リブ２１ｂとの重なり代は１ｍｍから３ｍｍ程度であり、このように重なり代を少なく構成することで配線基板の無効面積を増やさないようにしている。
【００７０】
以上のように、第１のケース１と第２のケース２により電動送風機５１と第１の配線基板３と第２の配線基板４の外周を挟み込むように固定、保持するようにし、第１の配線基板３は、第１のケース１に設けられた突起形状収容部１１ｄに突起形状３を収容するようにして、配線基板ガイド１１のリブ１１ａとリブ１１ｂ及び配線基板ガイド１２のリブ１２ａとリブ１２ｂで第１の配線基板３の第１面（表面）３ａと第２面（裏面）３ｂの両面をそれぞれ保持し、第２のケース２に設けられた配線基板ガイド２１のリブ２１ａとリブ２１ｂで第１の配線基板３の第１面（表面）３ａと第２面（裏面）３ｂの両面をそれぞれ保持するようしたので、第１の配線基板３をネジなどの取付け部材を用いることなく収容ケース組立体１０に収容できるため、取付け部材による重量の増加を抑制でき、軽量で作業者が扱いやすい電気掃除機１００が提供できる。
【００７１】
また、第１の配線基板３の取付けにネジなどの取付け部材を用いることがないので、第１の配線基板３の電気電子部品などを取付ける面にネジ穴をあける必要がなく、配線基板の無効面積を増やすことがない。
【００７２】
さらに、第１の配線基板３を第１のケース１に取付けると、突起形状３の辺３１ｂの角度は垂直線Ｙ１に対しθ２で、θ２は９０度から１１０度程度で設定をしているので、突起形状係り部１１ｅが突起形状３の辺３１ｂに干渉して抜け難く抜け止めとなり所定の位置に保持されるので、第２のケース２を取付ける作業をするときに第１の配線基板３の浮き等を気にすることなく、円滑に作業を進めることができる。
【００７３】
なお、本発明の実施の形態１では、第２の配線基板４を電動送風機５１に取付けてから収容ケース組立体である第１のケース１と第２のケース２に収容する形態で説明したが、第２の配線基板４を第１の配線基板３と同様、電動送風機５１とは一体化せず単独で第１のケース１に取付けるようにしてもよい。そのようにすることで、第２の配線基板４を電動送風機５１に取付けるための取付け部材が不要となり、さらなるコスト抑制、軽量化が図れるようになる。
【符号の説明】
【００７４】
Ｐ  第１の配線基板３の仮想円の中心点、Ｘ  第１の配線基板３の仮想円の水平方向の中心線、Ｙ１  第１の配線基板３の取付け方向の垂直線、Ｙ２  第１の配線基板３の仮想円の垂直方向の中心線、１  第１のケース、１ａ  爪形状、１ｂ  第１の電動送風機保持部、１ｃ  第２の電動送風機保持部、２  第２のケース、２ａ  爪掛け部、２ｂ  第１の電動送風機保持部、２ｃ  第２の電動送風機保持部、３  第１の配線基板、３ａ  第１の配線基板３の第１面（表面）、３ｂ  第１の配線基板３の第２面（裏面）、３ｃ  電気電子部品群、３ｄ  電気電子部品群、４  第２の配線基板、４ａ  第２の配線基板４の第１面（表面）、４ｃ  電気電子部品群、１０  収容ケース組立体、１１  配線基板ガイド、１１ａ  リブ、１１ｂ  リブ、１１ｃ  凹部、１１ｄ  突起形状収容部、１１ｅ  突起形状係り部、１１ｆ  変形可能部、１２  配線基板ガイド、１２ａ  リブ、１２ｂ  リブ、２１  配線基板ガイド、２１ａ  リブ、２１ｂ  リブ、３１  突起形状、３１ａ  辺、３１ｂ  辺、５１  電動送風機、５１ａ  吸気口、５２  電動機、５３  パッキン、５４  保持部材、１００  電気掃除機、１０１  本体、１０１ａ  本体管部、１０１ｂ  ハンドル、１０１ｃ  操作部、１０１ｄ  本体排気口、１０２  集塵部、１０２ａ  集塵室、１０３  延長管、１０４  吸込具、１１１  二次電池、１１２  吸引風路、１１３  旋回部、１１４  分離部。
【図１】
2019208928.tif 000003
【図２】
2019208928.tif 000004
【図３】
2019208928.tif 000005
【図４】
2019208928.tif 000006
【図５】
2019208928.tif 000007
【図６】
2019208928.tif 000008
【図７】
2019208928.tif 000009
【図８】
2019208928.tif 000010
【図９】
2019208928.tif 000011
【図１０】
2019208928.tif 000012
【図１１】
2019208928.tif 000013
【図１２】
2019208928.tif 000014
【図１３】
2019208928.tif 000015
【図１４】
2019208928.tif 000016